(57)【要約】【課題】  はしごを軟弱地面や傾斜した地面に立掛けたときも、倒れや横滑りを防止して、安全な状態で使用することができる。【解決手段】  はしご７の下端面にシャフト４を螺設し、このシャフトを貫通するようにバネ２とプレート３とを順に積層する。シャフト４の下端部にストッパ部材６を溶接し、バネ２を圧縮状態に保持する。シャフト４は、プレート３に設けた開口孔３３に半径方向の遊びをもって挿入してある。傾斜地面にはしご７を立掛けると、シャフト４に対してプレート３は傾斜して地面に平行に接地し、このプレートの全周に設けた切欠き部３１が地面に噛み込む。軟弱地盤の場合には、バネ２が縮んでシャフト４の先端部４１が地面に深く突き刺さる。【選択図】図１
0003128851.tif 000002
【実用新案登録請求の範囲】
【請求項１】
はしごの下端部に設けたすべり防止具であって、
はしごの下端面に設けたバネと、このバネの下面に設けたプレートと、このはしごの下端面に突設される共に、このバネの軸心とプレートとを貫通するシャフトとを備え、
上記プレートには、開口穴が設けられており、
上記開口穴の直径は、上記プレートが、上記シャフトに対して直交位置から１０〜４０度の角度で傾斜自在となる寸法に形成してあり、
上記プレートには、下方向に突出する複数の突起物が設けられており、
上記シャフトには、上記開口穴の直径より大きいストッパ部材が設けられており、
上記ストッパ部材は、上記バネを所定の長さだけ圧縮する状態で、上記プレートの下面に当接しており、
上記はしごに荷重が掛かると、上記バネが縮んで上記プレート下面から上記シャフトの先端が突出する
ことを特徴とするはしごのすべり防止具。
【請求項２】
請求項１において、上記シャフトは、上記はしごを地面に対して垂直位置から１０〜４０度傾けて立掛けたときに、地面に対して垂直になるように、このはしごの下端面に突設してあることを特徴とするはしごのすべり防止具。
【請求項３】
請求項１または２のいずれかにおいて、上記すべり防止具は、上記はしごの左右の支柱に沿って、この支柱の下端からそれぞれ突出自在に設けた補助脚の下端面に設けたことを特徴とするはしごのすべり防止具。
【考案の詳細な説明】
【技術分野】
【０００１】
本考案は、例えば傾斜する軟弱地盤にはしごを立掛けた場合に、この地盤にはしごの脚が埋もれず、また横滑りを防止するはしごのすべり防止具に関する。
【背景技術】
【０００２】
はしごは、従来高所に登るとき等に広く使用されてきた。また現在では、はしごの長さを調節できる機能をもったスライド式の二段はしごや、はしごの両脚部にスライド可能な補助脚を設けたもの等、さまざまな種類のものが市販されている。
【０００３】
また、はしごの種類が増えてきたことに伴って、はしごは、さまざまな場所で使用されるようになった。
【０００４】
例えばはしごを軟弱な地面で使用すると、はしご下端が地面に沈み込み、はしごが傾いて転倒し易くなる。そこで従来から図５に示すように、はしごの下端に、ある程度の面積を有する平板等を設けて、沈み込みを防止し、かつこの平板等が常に地面に並行に接するように、はしごの下端に、バネを介して傾き自在に設けた安定支持脚（例えば特許文献１参照。）が提案されている。
【０００５】
また、凍結した地面では、はしごの下端がすべり易くなり、転倒する恐れがある。そこで、図６に示すように、はしごの左右の脚の下端の内側に、それぞれスパイクピンを備えた滑り止め金具を取付ける。そしてスパイクピンを収納する筒から、手動によってこのスパイクピンを押出して、すべりを防止する手段が提案されている（例えば特許文献２参照。）。
【特許文献１】特開２００２−３３９６７８号公報（１〜６頁、図１）
【特許文献２】特開１１−３２４５４３号公報（１〜５頁、図１、図２）
【考案の開示】
【考案が解決しようとする課題】
【０００６】
確かに特許文献１に記載の安定支持脚は、はしごの下端に、ある程度の面積を有する平板等を傾き自在に設けているので、この平板等が常に地面に並行に接する。したがって軟弱な地盤においても、はしごの下端が沈むことはない。しかしながら、軟弱な地盤の表面は、すべり易い場合が多く、この軟弱な地盤の表面に並行に接した平板等が、すべってしまう恐れがある。
【０００７】
また特許文献２に記載の滑り止めを備えた梯子は、スパイクピンによって、凍結地面や軟弱地面上でのすべりを防止できる。しかしこのスパイクピンは、手動で飛出させるものであるため、手間が掛かる。またはしごの接地面積が必ずしも広くないので、軟弱な地盤では、はしごの下端が沈むおそれもある。
【０００８】
そこで、本考案の目的は、軟弱な地盤においても、はしごの下端が沈み込まずに、かつ地盤表面でのすべりを確実に防止できる操作が簡単な、はしごのすべり防止具を提供することにある。
【課題を解決するための手段】
【０００９】
上述した課題を解決するべく、本考案によるはしごのすべり防止具の特徴は、はしごの下端部に設けたすべり防止具であって、はしごの下端面に設けたバネと、このバネの下面に設けたプレートと、このはしごの下端面に突設される共に、このバネの軸心とプレートとを貫通するシャフトとを備えている。上記プレートには、開口穴が設けられており、この開口穴の直径は、上記プレートが、上記シャフトに対して直交位置から１０〜４０度の角度で傾斜自在となる寸法に形成してある。上記プレートには、下方向に突出する複数の突起物が設けられており、上記シャフトには、上記開口穴の直径より大きいストッパ部材が設けられている。また上記ストッパ部材は、上記バネを所定の長さだけ圧縮する状態で、上記プレートの下面に当接している。そして上記はしごに荷重が掛かると、上記バネが縮んで上記プレート下面から上記シャフトの先端が突出することにある。
【００１０】
上記シャフトは、上記はしごを地面に対して垂直位置から１０〜４０度傾けて立掛けたときに、地面に対して垂直になるように、このはしごの下端面に突設してあることが望ましい。
【００１１】
また、上記すべり防止具は、上記はしごの左右の支柱に沿って、この支柱の下端からそれぞれ突出自在に設けた補助脚の下端面に設けてあることが、より望ましい。
【００１２】
ここで上記「はしご」には、脚立をはしごのように伸ばして使用する場合も含む。「バネ」とは、コイル状のバネの他、ジグザグに折り曲げた板バネも含み、その材質は問わない。「プレート」とは、軟弱な地盤でも沈み込まない程度の接地用の面積を持った部材を意味し、その形状や材質は問わない。
【００１３】
「上記開口穴の直径は、上記プレートが、上記シャフトに対して直交位置から１０〜４０度の角度で傾斜自在となる寸法」とは、プレートに設けた開口穴と、この開口穴を貫通するシャフトとの間に、半径方向の遊びが設けてあって、この遊びによって、このシャフトに対して、プレートが直交位置から１０〜４０度だけ傾けさせることができることを意味し、この傾斜角度としては、３０〜４０度がより望ましい。また「突起部」とは、例えばプレートの底面にスパイクを配列したものや、このプレートの周辺部を下方に折り曲げ、この折り曲た周辺部に切り欠を設けたものが該当する。
【００１４】
「ストッパ部材」とは、はしごの下面とプレートとの間に挟まれたバネの長さを制限して、バネに圧縮力を掛けるための部材であって、プレートに設けた開口穴の径より大きいものならば、その形状や材質は問わない。例えばシャフトと一体形のものや、シャフトに設けた雄ねじに螺合するナットが該当する。「シャフトの先端」とは、シャフトの下端がスパイク状に尖った部分を意味するが、シャフトの下端が丸いもの、円や三角や四角の錐台状のものも含む。「補助脚」とは、はしごの両脚の周囲面、あるいは内側面に、相互に独立して、この両脚の長手方向にスライド可能に取り付けた棒状の部材を意味する。
【考案の効果】
【００１５】
はしごの下部にバネを介してプレートを設けることによって、はしごが地面に対して垂直でない場合も、このプレートを地面に水平に設置することができる。よって、軟弱な地盤であっても、プレートが地盤内に沈み込むことを防止できる。
一方、はしごの下面を地面から持ち上げると、バネの復元力によってプレートが、はしごの長手方向に対して直角になる中立位置に戻るため、次にはしごを地面に立掛けるときに、このプレートを、地面に水平に設置し易くなる。
【００１６】
プレートに下方に突出する複数の突起物を設けることによって、滑りやすい地盤で使用するときにも、プレートが滑り難くなる。さらに、はしごに荷重が加わると、バネが縮んでシャフトの先端が地面に当接する。この際、軟弱な地盤では、シャフトの先端が深く地中に突き刺さることによって、滑りを確実に防止する。軟弱な地盤は、地表が滑りやすい場合も多いため、地表に接するプレートだけでは十分滑りが防止できない場合に、特に効果的である。
【００１７】
シャフトを、はしごの長手方向から裏側方向に予め１０〜４０度傾けて、このはしごの下端面に設けることによって、はしごを立掛けるときに、地面に対してプレートを水平に設置することが、さらに容易にできるようになる。
【００１８】
はしごの両脚に設けた補助脚に下端面に、上記はしごのすべり防止具を設けることによって、はしごを左または右方向に傾いた地面に立掛ける場合に、補充脚の一方を伸ばすことで、はしごを左右方向に傾けることなく立掛けることができ、かつ、このときに左右のはしごのすべり防止具のプレートが傾いて、地面に平行になるように接地させることができる。以上によって、はしごを左または右方向に傾いた地面に立掛ける場合に、はしごに登ったときに左右方向に倒れることを防止でき、かつ左右方向に横滑りすることを防止できる。
【考案を実施するための最良の形態】
【００１９】
図１〜図２を参照しつつ、本考案によるはしごのすべり防止具の構成と作用とを説明する。図１は、はしご７の下端面に、本考案によるはしごのすべり防止具１が取付けてある。はしごのすべり防止具１は、はしご７の下端面に当接するコイル状のバネ２と、このバネの下面に当接するプレート３と、このバネの軸心とプレートとを貫通するシャフト４とを備えている。
【００２０】
バネ２は、はしご７の下端面とプレート３との間に挿入してある。なおここでは、バネ２として、線径が２．０〜３．２ｍｍ及び巻数が４、バネ荷重が１０〜１２ｋｇ／ｃｍの押しバネを使用する。一方プレート３は、厚さ２ｍｍで直径が５０〜１５０ｍｍの円盤状のアルミ板からなり、この中心部分に直径が２０ｍｍの開口穴３３が開口している。また、プレート３の上面には、同一円周上の４箇所に、４角形の３辺を打ち抜いて、上方に折り曲げたタグ３２を形成してある。さらに、プレート３の外周部分は、全周に渡って下方斜めに折り曲げてあり、この折り曲げた部分の先端には、所定のピッチ間隔で、全周にわたって切欠き部３１が設けてある。シャフト４の上端部は、はしご７の下端部を構成する下端部材に螺設してあり、下端部には、ストッパ部材６が溶接結合してある。また先端部４１は、先尖り形状にしてある。
【００２１】
コイル状のバネ２は、はしご７の下端面とプレート３の上面との間に、圧縮状態で挿入してある。なお、シャフト４の下端部に溶接したストッパ部材６の外径は、プレート３の開口穴３１の直径より大きくしてあり、このプレートの底面が、このストッパ部材に当たって、バネ２が伸びるのを拘束する。したがってコイル状のバネ２は、常にプレート３の上面を押圧する圧縮状態に保持される。
【００２２】
またプレート３の開口穴３１の直径は、シャフト４の直径より大きくしてあり、半径方向の遊びが設けてある。このためプレート３の開口穴３１にシャフト４が挿入された状態で、このプレートが、シャフトと直交する状態から全周いずれの方向にも、１０〜４０度の角度で傾くことができる。なおコイル状のバネ２の下端部は、プレート３の上面に形成した、同一円周上４箇所のタグ３２によって、このプレートの中央位置から、半径方位にずれないようにしてある。したがって地面に設置されていない場合には、バネ２の圧縮反力によって、このプレートが常に、シャフト４と直交する中立位置に保持されるようにしている。
【００２３】
図３及び図４を参照しつつ、他の実施の形態を説明する。なお、図１〜図３に示すものと同様の部品や部位については、参照を容易にするために、図１〜図３に示す部品番号に、一律１００を加えた部品番号にしてある。さて図３に示すように、はしご１０７の両脚部の外側面にはそれぞれ、４辺がそれぞれ３０ｍｍの角柱である補助脚１０８が、上下２つのクランプ材１８１によって、上下方向にスライド自在に取付けられている。なおクランプ材１８１には、固定ネジ１８２が設けてあり、補助脚１０８を任意のスライド位置において、締付けて固定できるようにしてある。
【００２４】
したがって、上述したはしご１０７を、図３に示すように右方向に傾斜した地面に立掛ける場合には、右の補助脚１０８を伸ばせば、前から見て、このはしごが右方向に傾かないように接地させることができるので、この状態ではしごに登ったときに、このはしごが右方向に転倒することを防止できる。
【００２５】
この状態では、地面が右方向に傾斜しているために、補助脚１０８の底が、傾斜地面上を右方向に滑り落ちるおそれがある。本願発明においては、プレート１０３が、バネ１０２によって傾斜自在に押圧支持されているので、はしご１０７を立掛けると、このプレートが時計方向に傾き、容易に傾斜斜面に平行に接地する。そしてプレート１０３の全周を下方斜めに折り曲げ、その先端全周に渡って設けた切欠き部が、地面にほぼ平等に噛みこんで、このプレートが右方向に滑り落ちることを防止する。
【００２６】
さらに右方向に傾斜している地面が軟弱な地盤の場合には、傾斜斜面に平行に接地したプレート１０３が、単位面積当たりの荷重を大幅に小さくして、このプレート１０３が、地面に沈み込むことを防止できる。またバネ２が縮むことによって、シャフト１０４の先端部１４１が地面に深く食込み、補助脚１０８の底が、傾斜地面上を右方向に滑り落ちることを、さらに確実に防止する。
【００２７】
図４は、上述した補助脚１０８付きのはしご１０７を、傾斜する屋根等に横方方向から立掛けた状態を、このはしごの側面方向から見た場合を示している。補助脚１０８の下端面には、シャフト１０４が、この補助脚の長手方向から反時計方向廻りに、１０〜４０度傾けて設けられている。したがって、このようにはしご１０７を斜めに立掛ける際に、プレート１０３を、より地面に平行な状態で接地させることができるので、さらにこのはしごの転倒や横すべり防止能力が向上する。
【００２８】
なおはしご１０７の上部には、梯子滑り防止具１０９（実用新案登録第３１２１４７３号）が取り付けてある。梯子滑り防止具１０９は、はしご１０７の裏面に装着する本体部材１９１と、この本体部材の裏面中央に回転自在に設けた、横長の押圧部材１９２とを備えたものである。したがって図４において、手前方向に下がる傾斜した屋根等に、左側面方向からはしご１０７を立掛けると、梯子滑り防止具１０９の押圧部材１９２の底面が、この手前に傾斜する屋根に沿って接触する。そしてこの状態ではしご１０７に登ると、荷重の大部分が、屋根に沿って接触する押圧部材１９２に掛かり、両者の接触摩擦によって、このはしごが、屋根の傾斜面に沿って、手前方向に滑ることを防止する。よって、本願考案によるはしごのすべり防止具１０１と、上述した梯子滑り防止具１０９とを併用すれば、はしご１０７の上部と下端部との双方で、滑りや傾きを防止することになり、このはしごの安全性を一層向上させることができる。
【産業上の利用可能性】
【００２９】
本考案によるはしごのすべり防止具は、はしごを立掛ける場合に、軟弱地面や、傾斜した地面に関係なくはしごを安定した状態で立てることができ、また横滑りを防止することができるため、はしごに関する産業に広く利用可能である。
【図面の簡単な説明】
【００３０】
【図１】はしごの下端部に取付けたはしごのすべり防止具の側面図である。
【図２】プレートの断面図である。
【図３】補助脚の下端部に取付けた、はしごのすべり防止具の正面図である。
【図４】補助脚の下端部に取付けた、はしごのすべり防止具の側面図である。
【図５】従来の例によるすべり防止具の正面図である。
【図６】従来の例による他のすべり防止具の斜視図である。
【符号の説明】
【００３１】
１、１０１            はしごのすべり防止具
２、１０２            バネ
３、１０３            プレート
３１                  切り欠き部（突起部）
３３                  開口穴
４、１０４            シャフト
４１                  先端部
６                    ストッパ部材
７、１０７            はしご
８、１０８            補助脚
【図１】
0003128851.tif 000003
【図２】
0003128851.tif 000004
【図３】
0003128851.tif 000005
【図４】
0003128851.tif 000006
【図５】
0003128851.tif 000007
【図６】
0003128851.tif 000008